(57)【特許請求の範囲】
【請求項１】
テープ状の建築用コーナー材をロール状に巻回して収容する建築用コーナー材の収納ケースにおいて、
ロール状の前記建築用コーナー材を収納する本体と、
この本体の側周面の一部に形成され、前記建築用コーナー材を引き出せる横幅及び前記建築用コーナー材の先端を二つ折りにできる縦幅を有する引き出し用の開口部と、
前記開口部で二つ折りにした前記建築用コーナー材の先端を差し込むことで、前記建築用コーナー材を二つ折りにして引き出すスリットと、
を有し、
前記スリットは、二つ折にした前記先端を前記開口部から前記縦幅の方向に移動させることで差し込めるように前記開口部に連通して形成されていること、
を特徴とする建築用コーナー材の収納ケース。
【請求項２】
前記スリットと前記開口部との間に、前記建築用コーナー材が前記スリットから脱出しないように規制する規制手段を設けたことを特徴とする請求項１に記載の建築用コーナー材の収納ケース。
【請求項３】
前記規制手段が、前記開口部を開閉する蓋部材であることを特徴とする請求項２に記載の建築用コーナー材の収納ケース。
【請求項４】
前記蓋部材に、前記開口部の周縁と係合する係合部を形成したことを特徴とする請求項３に記載の建築用コーナー材の収納ケース。
【請求項５】
前記本体の底面に、収納された前記建築用コーナー材を回転させることのできる開口を設けたことを特徴とする請求項１〜４のいずれかに記載の建築用コーナー材の収納ケース。
【発明の詳細な説明】
【技術分野】
【０００１】
本発明は、テープ状の建築用コーナー材をロール状に巻回して収容する建築用コーナー材の収納ケースに関する。
【背景技術】
【０００２】
例えば建物の壁面に壁紙、布地、合成樹脂クロス等の壁装材を貼着する際に、仕上げをきれいにするには、下地面を凹凸のない平坦な面に仕上げておく必要がある。そのため、建物の壁面の出隅部分や入隅部分等のコーナー部には、軟質の合成樹脂材で形成した屈曲部の長手方向の左右両側に、薄肉の合成樹脂製の平板を一体に連結した建築用コーナー材を用いている（例えば特許文献１，２参照）。
【０００３】
このような建築用コーナー材は、押出し成形によって連続的に成形されるが、成形後に所定長さごとに巻き取ってロール状の製品形態とし（例えば特許文献３の図１参照）、これを収納ケースの中に収容して出荷している。
建築現場等では、前記収納ケースを開封してロール状の建築用コーナー材を取り出し、必要長さだけ切り取って二つ折りにし、アングル状にしてコーナー部に沿わせている。
【先行技術文献】
【特許文献】
【０００４】
【特許文献１】特開２０１１−１１７２０９号公報
【特許文献２】実公昭６２−４００３０号公報
【特許文献３】特開２０１７−２０６８７４号公報
【発明の開示】
【発明が解決しようとする課題】
【０００５】
しかし、上記した従来の収納ケースでは、収納ケースからロール状の建築用コーナー材を取り出すと、弾性によって建築用コーナー材が拡がってしまい、必要長さで切断しようとしても拡散した部分が邪魔になって正確な寸法に切断しにくく、かつ、拡散した部分のその後の取り扱いが面倒になるという問題がある。また、所定の長さに切断した建築用コーナー材を二つ折りにする作業も面倒で時間もかかり、かつ、長尺帯状の建築用コーナー材を正確に二つ折りする作業は容易でないという問題がある。
本発明はこのような問題点を解決すべくなされたもので、収納ケースからロール状の建築用コーナー材を取り出す必要がなく、必要長さで正確に切断することが可能で、かつ、二つ折りの作業負担の軽減と作業時間の短縮を図りながら、巻き出された建築用コーナー材を容易かつ正確に二つ折りすることのできる収納ケースの提供を目的とする。
【課題を解決するための手段】
【０００６】
上記の目的を達成するために、テープ状の建築用コーナー材をロール状に巻回して収容する建築用コーナー材の収納ケースにおいて、ロール状の前記建築用コーナー材を収納する本体と、この本体の側周面の一部に形成され、前記建築用コーナー材を引き出せる横幅及び前記建築用コーナー材の先端を二つ折りにできる縦幅を有する引き出し用の開口部と、前記開口部で二つ折りにした前記建築用コーナー材の先端を差し込むことで、前記建築用コーナー材を二つ折りにして引き出すスリットと、を有し、前記スリットは、二つ折にした前記先端を前記開口部から前記縦幅の方向に移動させることで差し込めるように前記開口部に連通して形成されている構成としてある。
この構成によれば、ロール状に巻回した建築用コーナー材は、収納ケースから取り出すことなく、収納ケースの側周面に形成されたスリットから引き出すことができる。また、前記開口部は、前記建築用コーナー材を引き出せる横幅及び前記建築用コーナー材を二つ折りにできる縦幅を有しているので、前記開口部から引き出した建築用コーナー材の先端を前記開口部で二つ折りにすることができる。前記開口部と前記スリットとは前記縦幅の方向に連通して形成されているので、前記開口部で二つ折りにした前記先端をそのまま前記縦幅の方向に移動させるだけでスリットに差し込むことができる。そして、前記スリットに差し込んだ建築用コーナー材を引っ張ることで、二つ折りによってアングル状になった建築用コーナー材を収納ケースから連続的に引き出すことができる。
このように、スリットからは二つ折りの状態で建築用コーナー材が引き出されるので、引き出した建築用コーナー材を二つ折りにする手間が省け、作業時間の短縮と負担軽減を図ることができ、かつ、二つ折りも正確である。
【０００８】
ここで、スリットからの建築用コーナー材の連続引き出しの最中に、建築用コーナー材がスリットから開口部へ脱出してしまう可能性がある。そこで請求項２に記載するように、前記スリットと前記開口部との間に、前記建築用コーナー材が前記スリットから脱出しないように規制する規制手段を設けるとよい。例えば請求項３に記載するように、前記開口部を開閉する蓋部材を前記規制手段として利用してもよい。この場合、前記建築用コーナー材の引き出し動作とともに蓋部材が開いてしまわないように、請求項４に記載するように、前記蓋部材に、前記開口部の周縁と係合する係合部を形成してもよい。
【０００９】
請求項５に記載するように、前記本体の底面に、収納された前記建築用コーナー材を回転させることのできる開口を設けることで、ロール状に巻いた前記建築用コーナー材の頭出しを容易に行えるようになる。
本発明によれば、収納ケースにロール状の建築用コーナー材を収納したままで必要長さ分だけを収納ケースから引き出すことができ、正確な長さを測って使用することができるので無駄がない。また、引き出すと同時にアングル状に形成されるので、二つ折りの作業負担の軽減と作業時間の短縮を図りながら、巻き出された建築用コーナー材を容易かつ正確に二つ折りすることができる。
【発明を実施するための最良の形態】
【００１０】
以下、本発明の好適な実施形態を、図面を参照しながら詳細に説明する。
図１は本発明の第一の実施形態にかかる建築用コーナー材の収納ケースの斜視図で、（ａ）はその全体構成を説明するためのもの、（ｂ）（ｃ）は開口部を形成した要部の詳細を説明するためのものである。
収納ケース１は、ロール状に巻回した建築用コーナー材２を収容できる矩形箱形の本体１１と、この本体１１の側周面のコーナー部に隣接する位置に形成された開口部１５と、この開口部１５を閉じている蓋部材１２と、開口部１５に隣接して側周面１１ａの中央に形成され、開口部１５から上底面１１ｂと平行な方向に切り込み形成されたスリット１３とを有する。
【００１１】
［本体１１］
本体１１は段ボールなどで形成され平面視して正方形の箱体で、ロール状に巻いた長尺帯状の建築用コーナー材２を収容できるものである。本体１１を段ボール以外の樹脂や金属などで形成してもよいが、コストや使い捨てのしやすさなどの理由から段ボールが有利である。
開口部１５が形成された側周面１１ａに隣接する二つの側周面１１ａのうち、少なくとも開口部１５側の側周面１１ａは本体１１に対して図中矢印Ｉで示す方向に開閉可能となっていて（側周面１１ａを開いた状態を仮想線で示す）、ロール状に巻いた建築用コーナー材２はここから本体１１内に収容される。上底面１１ｂ又は下底面１１ｃを本体１１に対して開閉可能として、建築用コーナー材２を本体１１内に収納できるようにしてもよい。
また、この実施形態の収納ケース１においては、上底面１１ｂに中央に円形の切り込みが形成されていて、この切り込みに沿って上底面１１ｂの一部を切り取ることで、ロール状に巻いた建築用コーナー材２を収納ケース１に収納したままで回転させることができるようにするための底面開口部１４が形成できるようになっている。
【００１２】
［建築用コーナー材２］
本発明の収納ケース１が適用可能な建築用コーナー材２は、図１（ａ）に示すように左右のフランジ（右フランジ２ａ及び左フランジ２ｂ）と、この左右のフランジ１１，１２を屈曲可能に連結する連結部２ｃとを有するものである。この建築用コーナー材２は、二つ折りにするなど外力を加えることで左右のフランジ２ａ，２ｂを連結部２ｃで屈曲させ、帯状の建築用コーナー材２をアングル状とでき、かつ、このアングル状の形状を維持できるもので、例えば塩化ビニル（ＰＶＣ）などの樹脂から形成される。このように建築用コーナー材２は、アングル状に変形でき、かつ、その形状を維持することで、建築物の出隅又は入隅に密着させやすくすることができる。この種の建築用コーナー材２は、本願出願人などから市販されている公知のもので、押出成形によって連続成形された長尺帯状のものを一定長さごとに巻き取って、図１（ａ）に示すようなロール状の製品形態としている。
【００１３】
［開口部１５］
開口部１５は、工場出荷時などには蓋部材１２によって閉じられている。蓋部材１２は、側周面１１ａの一部に、開口部１５の形状に応じてミシン目１２ａを設けることで形成することができ、ミシン目１２ａに沿って蓋部材１２を切り取ることで、開口部１５を形成することができる。
開口部１５の横幅ｈ（図１（ｂ）参照）は、建築用コーナー材２の先端を引き出すことができるように、建築用コーナー材２の幅Ｈと同じかそれより僅かに大きくする。例えば、建築用コーナー材２の幅Ｈが５３ｍｍである場合は、開口部１５の横幅ｈは５３ｍｍ〜５６ｍｍ程度とする。
【００１４】
開口部１５の縦幅Ｌ１（図１（ｃ）参照）は、建築用コーナー材２を二つ折りしたときの幅Ｓ（幅Ｈのほぼ半分である）と同じか、それより少し大きくする（横幅ｈよりは小さくするのが好ましい）。縦幅Ｌ１を大きくすることで、建築用コーナー材２の先端を引き出しやすくなり、二つ折りしやすくなる。例えば、建築用コーナー材２（幅Ｈ＝５３ｍｍ）を二つ折りしたときの幅Ｓが２７ｍｍである場合は、開口部１５の横幅ｈは２７ｍｍ〜５３ｍｍ程度とする。
【００１５】
［スリット１３］
スリット１３は、建築用コーナー材２に二つ折りにする外力を加え、左右のフランジ２ａ，２ｂを連結部２ｃで屈曲させて帯状の建築用コーナー材２をアングル状にするためのものである。側周面１１ａにおけるスリット１３の形成位置は、建築用コーナー材２の残量が少なくなったときに、巻き出された建築用コーナー材２が急角度でスリット１３に向かわないような位置とするのがよい。具体的には、図示するように、開口部１５を形成した分だけコーナー部から離間させるのがよい。
スリット１３の長さＬ２は、二つ折りにした建築用コーナー材２の幅Ｓ（図１（ｃ）参照）よりも大きくする。例えば、建築用コーナー材２（幅Ｈ＝５３ｍｍ）を二つ折りしたときの幅Ｓが２７ｍｍである場合は、開口部１５の横幅ｈは２７ｍｍよりも大きくする。この場合は３０ｍｍ〜４０ｍｍ程度が目安である。スリット１３の溝幅は、建築用コーナー材２の肉厚の二倍よりも大きくするが、大きくしすぎると外力が弱くなって二つ折りの効果が低下し、スリット１３から建築用コーナー材２を引き出した後に十分な角度のアングル形状を得ることができなくなる。そのため、例えば肉厚０．１ｍｍの建築用コーナー材２に対しては、０．２ｍｍ〜０．５ｍｍ程度を目安とする溝幅、０．３ｍｍの建築用コーナー材２に対しては、０．６ｍｍ〜１．０ｍｍ程度を目安とする溝幅のスリット１３を形成する。
【００１６】
［規制手段］
スリット１３を通して二つ折りにした建築用コーナー材２を引き出す際、スリット１３における建築用コーナー材２の通過位置がずれて建築用コーナー材２がスリット１３から開口部１５側に抜脱してしまうことがある。
このような不具合を防止するために、図２の例ではスリット１３と開口部１５との間に仕切壁１３ａを設けている。
この仕切壁１３ａは、スリット１３を形成する際に開口部１５との間に側周面１１ａの一部を残すことで形成してもよいし、開口部１５とスリット１３とを連通状に形成した後に、板状の段ボール片などを側周面１１ａの内側又は外側に貼り付けることで形成してもよい。
【００１７】
［作用］
上記構成の収納ケース１の作用を、図１及び図３を参照しながら説明する。
工場で製造された長尺帯状の建築用コーナー材２は、一定長さごとにロール状に巻き取られて収納ケース１内に収納され、出荷される。
収納ケース１内に収納された建築用コーナー材２を入手したユーザー（建築業者等）は、図３（ａ）（ｂ）に示すように、ミシン目１２ａに沿って蓋部材１２を本体１１から切り離し、本体１１の側周面１１ａに建築用コーナー材２を引き出すための開口部１５を形成する。
【００１８】
次に開口部１５から建築用コーナー材２の先端を引き出すが、搬送時の振動などにより建築用コーナー材２が収納ケース１内で回転してしまい、前記先端が開口部１５の近傍に位置していないときがある。このような場合は、収納ケース１を一度開封して建築用コーナー材２を取り出し、開口部１５に建築用コーナー材２の先端を差し込むようにしてもよいが、この実施形態の収納ケース１では底面開口部１４を設けているので、これを開口することで収納ケース１内の建築用コーナー材２を回転させやすくなる。
【００１９】
図３（ｃ）に示すように開口部１５から建築用コーナー材２を一定長さ引き出し、図３（ｄ）に示すように建築用コーナー材２を二つ折りにする。そして、図３（ｅ）に示すように二つ折りにした建築用コーナー材２をスリット１３に差し込む。この後、図３（ｆ）に示すようにスリット１３を通過させながら二つ折りにした建築用コーナー材２を引き出し、必要長さのところで切断する。
以上のようにしてスリット１３を通して収納ケース１から引き出した二つ折りの建築用コーナー材２は、引き出した後に図４に示すようなアングル状となってこの形状を維持し、建築物の出隅又は入隅にフィットさせやすい状態となる。
【００２０】
［第二の実施形態］
図５は本発明の第二の実施形態の説明図である。
この実施形態では、図５（ａ）に示すように蓋部材１２の周縁のうちの三方にミシン目１２ａが形成されていて、このミシン目に沿って蓋部材１２の周縁を側周辺１１ａから切り離すことで開口部１５が形成されるようになっている。また、前記一方を残すことで、蓋部材１２は側周面１１ａから切除されないようになっていて、残った前記一方の周縁部分を蝶番として開口部１５に対して開閉できるようにしている。
なお、この第二の実施形態では、図５（ｂ）に示すように蓋部材１２の前記一方の周縁と対向する他方の周縁に突起状の係合部１２ｂが形成されていて、蓋部材１２で開口部１５を閉じたときにこの係合部１２ｂが開口部１５の周縁を乗り越え、本体１１の内側から開口部１５の周縁と係合するようになっている。
【００２１】
この第二の実施形態においても、図５（ｃ）に示すように開口部１５を開いて建築用コーナー材２を一定長さ引き出し、図５（ｄ）（ｅ）に示すように二つ折りにしてスリット１３に差し込む。  この後、図５（ｆ）に示すように蓋部材１２で開口部１５を閉じる。
この第二の実施形態では、スリット１３を通して建築用コーナー材２を引き出す際に、建築用コーナー材２のスリット１３における通過位置が変動しても、蓋部材１２によって建築用コーナー材２のスリット１３からの抜脱が規制される。また、蓋部材１２は係合部１２ｂが形成されているので、引き出しの際に建築用コーナー材２が蓋部材１２に接触しても、蓋部材１２が開口部１５に対して容易に開かず、建築用コーナー材２のスリット１３からの抜脱を効果的に規制することができる。
【００２２】
［第三の実施形態］
上記した第一及び第二の実施形態では、開口部１５を形成しているが、本発明において開口部１５は必須の構成要件ではない。
図８に、開口部１５を形成しない第三の実施形態の収納ケース１′を示す。図８において第一及び第二の実施形態の収納ケースと同一部位、同一部材には同一の符号を付して詳細な説明は省略する。この第三の実施形態においてスリット１３は、第一及び第二の実施形態の収納ケース１の側周面１１ａにおけるスリット１３の位置と同じ位置に形成されている。
【００２３】
先の実施形態では、開口部１５から引き出した建築用コーナー材２を二つ折りにしてスリット１３に差し込むようにしているが、この第三の実施形態においては、収納ケース１′に対して建築用コーナー材２を収容する際に開放される側周面１１ａ、上底面１１ｂ又は下底面１１ｃを開いて（側周面１１ａを開いた状態のものについては図１（ａ）の仮想線を参照）、建築用コーナー材２の先端を当該開いた部分から引き出し、二つ折りにしてスリット１３に差し込むようにするとよい。
この実施形態においても、スリット１３を通して収納ケース１′から引き出した二つ折りの建築用コーナー材２は、引き出した後に図４に示すようなアングル状となり、建築物の出隅又は入隅にフィットさせやすい形状となる。
【００２４】
本発明の好適な実施形態について説明したが、本発明は上記の説明により限定されるものではない。
例えば、上記の説明で平面視して正方形状の本体１１を例に挙げたが、本体１１は円形でもよいし正三角形又は正五角形などの多角形であってもよい。スリット１３や開口部１５も側周面１１ａの二カ所以上に形成してもよい。また、底面開口部１４は特に形成しなくてもよい。
【産業上の利用可能性】
【００２５】
本発明は、建物の壁面のコーナー部に取り付けられる建築用コーナー材に限らず、長尺帯状のシート部材をロール状に巻いて収納し、二つ折り方向に外力を加えつつ引き出すことで形状維持機能によってアングル状の形状にしたり、二つ折りのままで使用することのある部材にも広範に適用が可能である。
収容ケースとして広範に適用が可能である。
【図面の簡単な説明】
【００２６】
【図１】本発明の第一の実施形態にかかる建築用コーナー材の収納ケースの斜視図で、（ａ）はその全体構成を説明するためのもの、（ｂ）（ｃ）は開口部を形成した要部の詳細を説明するためのものである。
【図２】スリットと開口部との間に規制手段としての仕切壁を設けた例を説明する図である。
【図３】収納ケースの作用を説明する図である。
【図４】収納ケースから引き出されアングル状になった建築用コーナー材の斜視図である。
【図５】本発明の第二の実施形態の作用を説明する図である。
【図６】本発明の第一の実施形態にかかる収納ケースの正面図、背面図、右側面図（左側面図は右側面図と同様に表れるため記載を省略する）及び平面図である。
【図７】本発明の収納ケースの底面図及び参考斜視図である。
【図８】本発明の第三の実施形態にかかる収納ケースの要部の部分拡大斜視図である。
【図９】第三の実施形態の収納ケースの正面図及び斜視図である。背面図、右側面図、平面図、底面図については、図６及び図７と同様であるので記載を省略する。
【符号の説明】
【００２７】
１，１′：収納ケース
１１：本体
１１ａ：側周面
１１ｂ：上底面
１１ｃ：下底面
１２：蓋部材
１２ａ：ミシン目
１２ｂ：係合部
１３：スリット
１４：底面開口部
１５：開口部
２：建築用コーナー材
２ａ，２ｂ：フランジ
２ｃ：連結部
【要約】      （修正有）【課題】収納ケースからロール状の建築用コーナー材を取り出す必要がなく、必要長さで正確に切断することが可能で、かつ、二つ折りの作業負担も軽減できる収納ケースを提供する。【解決手段】テープ状の建築用コーナー材２をロール状に巻回して収容する建築用コーナー材の収納ケースにおいて、ロール状の建築用コーナー材を収納する本体１１と、この本体の側周面１１ａに形成され、建築用コーナー材を二つ折りにして引き出すスリット１３とを有する構成としてある。建築用コーナー材を引き出せる横幅及び前記建築用コーナー材を二つ折りにできる縦幅を有する引き出し用の開口部１５を、本体の側周面に形成し、スリットは、開口部に連通して又は開口部の近傍に形成してもよい。【選択図】図３【図１】
0006838756.tif 000002
【図２】
0006838756.tif 000003
【図３】
0006838756.tif 000004
【図４】
0006838756.tif 000005
【図５】
0006838756.tif 000006
【図６】
0006838756.tif 000007
【図７】
0006838756.tif 000008
【図８】
0006838756.tif 000009
【図９】
0006838756.tif 000010